(57)【要約】【課題】ブリーザー付注油栓のブリーザーからオイルが漏れるのを防止する注油栓を提供する。【解決手段】伝動ケース１の上部にオイルを充填する注油孔１０を設け、注油孔１０を塞ぐ注油栓２０の挿入部２２に注油栓２０の内部にオイルが浸入するのを防ぐ突出部２３を形成した。【選択図】図１
2008286256.tif 000002
【特許請求の範囲】
【請求項１】
ケースの上部にオイルを充填するための注油孔を設け、注油孔を塞ぐ注油栓において、注油栓の挿入部に注油栓の内部にオイルが浸入するのを防ぐ突出部を形成したことを特徴とする注油栓。
【請求項２】
注油栓のキャップに前記突出部の上方およびその反対方向以外の位置に空気を排出するブリーザーを形成したことを特徴とする請求項１記載の注油栓。
【発明の詳細な説明】
【技術分野】
【０００１】
本発明は、ケース内部のオイルの噴出しを防止する注油栓に関する。
【背景技術】
【０００２】
従来、この種の注油栓は、農作業機であるロータリ耕耘装置の駆動時にギヤやチェーンを潤滑するためのオイルが溜められているケースの注油孔を塞ぐものとしてブリーザー付注油栓が取付けられていた。                                          
【特許文献１】実開平４−７１８５３号公報
【発明の開示】
【発明が解決しようとする課題】
【０００３】
しかしながら、上記従来の注油栓では、ケース上方に注油栓を取付けたタイプのロータリ耕耘装置でも、駆動時にチェーンがオイルを掻き上げ、注油栓内部にオイルが侵入し、ブリーザーからオイルが外へ漏れてしまうという問題がある。
【０００４】
本発明は、このような点に鑑みなされたもので、注油栓のブリーザーからオイルが漏れるのを防ぐ注油栓を提供することを目的とする。
【課題を解決するための手段】
【０００５】
請求項１の発明は、ケースの上部にオイルを充填するための注油孔を設け、注油孔を塞ぐ注油栓において、注油栓の挿入部に注油栓の内部にオイルが浸入するのを防ぐ突出部を形成した。
【０００６】
また、請求項２の発明は、請求項１記載の注油栓において、キャップに突出部の上方およびその反対方向以外に空気を排出するブリーザーを形成した。
【発明の効果】
【０００７】
本発明の注油栓は、ケースの上部にオイルを充填するための注油孔を設け、注油孔を塞ぐ注油栓において、注油栓の挿入部に注油栓の内部にオイルが浸入するのを防ぐ突出部を形成したので、ロータリ耕耘装置の駆動時にチェーンがオイルを掻き上げても挿入部に形成した突出部によりオイルが落下し、注油栓内部にオイルが侵入しないのでブリーザーからオイルが漏れることがない。
【０００８】
また、注油栓のキャップに突出部上方およびその反対方向以外の位置に空気を排出するブリーザーを形成したので、詰まることがなく空気を排出できるので、ケース内部の内圧の上昇を防ぐことができる。
さらに、注油栓の突出部をブリーザーの向きによりチェーンの回転方向に対向した位置つまりオイルが飛散してくる位置に確実に取り付けることができるので、注油栓内部にオイルが侵入しないのでブリーザーからオイルが漏れることがない。
【発明を実施するための最良の形態】
【０００９】
本発明の注油栓の一実施の形態を図１ないし図３を参照して説明する。
【実施例１】
【００１０】
図１ないし図３において、１は農作業機であるロータリ耕耘装置の伝動ケースである。
【００１１】
この伝動ケース１内には、上部に駆動軸２に固着された第１スプロケット３が設けられ、下部に耕耘軸４に固着された第２スプロケット５が設けられ、この第１スプロケット３と第２スプロケット５との間には無端チェーン６が矢印方向に回転するように組みつけられている。
【００１２】
そして、図示しないトラクタからの動力が駆動軸２に伝わり回転し、無端チェーン６が回行して耕耘軸４が回転する。耕耘軸４の軸方向周側部には図示しない耕耘爪が放射状に突設され、田畑を耕耘する作業を行う。
【００１３】
次に、伝動ケース１の上面部には注油孔１０が形成され、伝動ケース１内に潤滑剤としてオイルが充填されている。そして、注油孔１０には弾性体からなる注油栓２０が着脱可能に組みつけられて注油孔１０が塞がれている。
【００１４】
この注油栓２０には、注油孔１０に挿入して係止する挿入部２２が形成され、その挿入部２２に突出部２３が形成されていて、その突出部２３は先端が尖った形状に形成されている。この注油栓２０によりロータリ耕耘装置の駆動時に無端チェーン６がオイルを掻き上げて挿入部２２に向かってオイルが飛散してきても突出部２３によりオイルが落下し、注油栓２０内部にオイルが侵入しないようになっている。
【００１５】
さらに、注油栓２０のキャップ２１には伝動ケース１内部の内圧の上昇を防ぐために空気を排出する空気孔であるブリーザー２４が形成されている。このブリーザー２４は、キャップ２１の内部に突出部２３の上方およびその反対方向以外の位置に形成されている。つまり、注油栓２０の平面視において、突出部２３の先端部延長線上以外の位置に形成されており、本実施例では突出部２３先端部から見て右９０度の位置に形成されている。
【００１６】
次に、上記一実施の形態の動作等を説明する。
【００１７】
トラクタにロータリ耕耘装置を連結するとともにトラクタからの動力が図示しない動力伝達機構を介して駆動軸２に伝動され回転する。駆動軸２が回転すると第1スプロケット３、無端チェーン６、第2スプロケット５を介して耕耘軸４が回転し、耕耘軸４の耕耘爪により田畑が耕耘される。
【００１８】
また、伝動ケース１内には潤滑油としてオイルが充填されており、注油孔１０を注油栓２０で塞いでいる。この注油栓２０は、挿入部２３の突出部２４が無端チェーン６の回転方向に対向する位置になるように組みつけられている。この対向する位置に組み付けるには注油栓２０のブリーザー２４の位置を目安に組み付けると間違いなく対向した位置に組み付けることができる。
【００１９】
そして、ロータリ耕耘装置が駆動すると伝動ケース1内のオイルが無端チェーン６により掻き上げられて注油栓２０の挿入部２２に向かって飛散してくるが、挿入部２２に形成された突出部２３によってオイルが落下し、注油栓２０の内部にオイルが侵入しないのでブリーザー２４からオイルが漏れることがない。また、ブリーザー２４により伝動ケース1内部の空気を排出することによって、伝動ケース１の内圧の上昇を防ぐことができる。
【００２０】
なお、本実施例では、注油栓２０を挿入式のもので説明したがネジ式の注油栓でも良い。さらに、注油栓２０の材質は弾性体に限らず注油栓の機能を満たすものであればなんでも良い。
【００２１】
また、本実施例のように注油栓２０を一体物で形成したものでなく、挿入部とキャップ部を別体にしたものでも良い。
【００２２】
また、注油栓２０を農業機械に限らず、他分野に使用しても同様の効果が得られることは言うまでもない。
【図面の簡単な説明】
【００２３】
【図１】伝動ケース全体図。
【図２】注油栓の側面断面図。
【図３】注油栓の平面図。
【符号の説明】
【００２４】
１    伝動ケース
２    駆動軸
３    第1スプロケット
４    耕耘軸
５    第2スプロケット
６    無端チェーン
１０  注油孔
２０  注油栓
２１  キャップ
２２  挿入部
２３  突出部
２４  ブリーザー
【図１】
2008286256.tif 000003
【図２】
2008286256.tif 000004
【図３】
2008286256.tif 000005